(57)【要約】【課題】  ユーザの利便性を考慮しつつ、カバーの開閉状態に応答した読取処理を実行する画像読取装置を提供する。【解決手段】  画像読取装置Ｂを備えた画像処理装置Ａは、キャビネット１に、画像読取部２と、画像形成部３と、記憶部４と、操作パネル６と、制御部７とを備える。画像読取部２は、原稿台１２に載置された原稿を読み取る。また、画像読取部２は、原稿カバー１３の開閉状態を検出するカバー開閉検出部１４を備える。記憶部４は、特別操作と特別処理とを関連付けて記憶する第２管理テーブル６３を備える。制御部７は、操作パネル６から特別操作があると、原稿カバー１３の開閉状態を確認する。原稿カバー１３が開状態の場合は、特別操作と関連付けた特別処理を実行する。【選択図】図５
2009010710.tif 000002
【特許請求の範囲】
【請求項１】
原稿台と、前記原稿台に置かれた原稿を読み取る読取部と、前記原稿台に対して開閉自在なカバーとを備えた画像読取装置であって、
前記カバーの開閉状態を検出する開閉検出部と、通常とは異なる特別操作の入力があったときに、前記カバーの開閉状態に応じた処理をする制御部とを有することを特徴とする画像読取装置。
【請求項２】
特別操作の入力があったとき、制御部は、カバーが開状態の場合は、通常処理と異なる特別処理を実行することを特徴とする請求項１に記載の画像読取装置。
【請求項３】
特別処理を実行する場合、制御部は、読取部から画像を読み取った後に、前記画像に対して所定の補正処理を実行することを特徴とする請求項２に記載の画像読取装置。
【請求項４】
制御部は、読み取った画像に対して、枠消し補正処理を行なうことを特徴とする請求項３に記載の画像読取装置。
【請求項５】
制御部は、読み取った画像に対して、歪み補正処理を行なうことを特徴とする請求項３に記載の画像読取装置。
【請求項６】
特別操作の入力があったとき、制御部は、カバーが閉状態の場合は、通常処理を実行することを特徴とする請求項１に記載の画像読取装置。
【請求項７】
通常操作の入力があったとき、制御部は、カバーが閉状態の場合は、前記通常操作に応じた通常処理を実行し、カバーが開状態の場合は、前記通常処理を規制することを特徴とする請求項１に記載の画像読取装置。
【請求項８】
特別操作および特別処理は、あらかじめ設定可能とされ、
制御部は、前記特別操作と前記特別処理とを対応付けて記憶することを特徴とする請求項１に記載の画像読取装置。
【発明の詳細な説明】
【技術分野】
【０００１】
本発明は、操作入力に応じて、カバーの開閉状態に応答した読取処理を実行する画像読取装置に関する。
【背景技術】
【０００２】
従来、画像読取装置は、複写機、プリンタ、ファクシミリ等の画像形成装置に搭載される。画像読取装置は、原稿台に載置した原稿をカバーで押さえた後、スタートボタンを押して画像の読み取りを開始する。
【０００３】
ところで、画像読取装置のカバーは、原稿台に対していつでも自由に開閉できるように構成されている。そのため、カバーを開状態で読取処理を行なったり、あるいは、画像の読み取り中、閉まっているカバーを開けると、原稿がずれて、画像が正しく読み取れなかったり、画像以外の部分が真っ黒に読み取られたりする問題がある。
【０００４】
そこで、特許文献１では、開閉検出部がカバーの開状態を検出すると、画像の読取処理を中断して、ユーザに対して警告することが開示されている。
【特許文献１】特開２００３−１６２１８３公報
【発明の開示】
【発明が解決しようとする課題】
【０００５】
ところで、綴じられた書類や書籍等のように原稿に厚みがある場合、コピーやスキャンする際、その見開き頁の綴じ代部分の表や文字等が歪んで読み取られないように、カバーを開状態にし、ユーザが原稿を押さえつけて読取処理を実行することがある。この場合、特許文献１の画像読取装置では、開閉検出部がカバーの開状態を検出し、画像の読取処理が中断する問題がある。
【０００６】
そこで、本発明は、上記に鑑み、ユーザの利便性を考慮しつつ、カバーの開閉状態に応答した読取処理を実行する画像読取装置の提供を目的とする。
【課題を解決するための手段】
【０００７】
上記目的を達成するために、本発明では、原稿台と、前記原稿台に置かれた原稿を読み取る読取部と、前記原稿台に対して開閉自在なカバーとを備えた画像読取装置であって、前記カバーの開閉状態を検出する開閉検出部と、通常とは異なる特別操作の入力があったときに、前記カバーの開閉状態に応じた処理をする制御部とを有することを特徴とする。
【０００８】
制御部は、カバーが閉状態にあると、読取部の読み取り動作を許容し、原稿カバーが開状態にあると、読取部の読み取り動作を禁止する処理制限機能を有する。そこで、制御部は、入力部から通常の操作手順の通常操作と異なる操作手順の特別操作の入力があると、処理制限機能に関わらず、カバーの開閉状態に応じた処理を実行する。具体的には、特別操作の入力があると、制御部は、書籍や綴じられた書類といった厚みのある原稿特有の処理をすることを認識する。そして、制御部は、カバーの開閉状態を確認し、カバーの開閉状態に応じた処理、例えば、カバーが開状態の場合は、通常処理と異なる特別処理を実行する。カバーが閉状態の場合は、通常処理を実行する。
【０００９】
制御部は、特別操作の入力があったとき、カバーが開状態の場合は、通常処理と異なる特別処理を実行する。この構成によると、制御部は、特別操作が入力されたとき、カバーが開状態の場合、画像の読取処理を実行する。これにより、カバーを開状態にしたまま読取処理を続行することができる。
【００１０】
制御部は、特別処理を実行する場合、読取部から画像を読み取った後に、前記画像に対して所定の補正処理を実行することを特徴とする。補正処理としては、例えば、読み取った画像に対して枠消し補正処理を行なう。あるいは、読み取った画像に対して歪み補正処理を行なう。
【００１１】
上記構成によると、厚みのある原稿をスキャンやコピーした際に発生する影や綴じ代部分の歪みを読み取りと同時に補正する上、操作入力が簡略することができる。
【００１２】
通常操作の入力があったとき、制御部は、カバーが閉状態の場合は、前記通常操作に応じた通常処理を実行し、カバーが開状態の場合は、ユーザに対して報知することを特徴とする。
【００１３】
制御部は、原稿台に載置された原稿を読み取る際、カバーの開閉状態を確認する。カバーが閉状態の場合、制御部は、入力された操作指示に応じた処理を実行する。カバーが開状態の場合、制御部は、操作指示に応じた処理を実行せずに、ユーザに対して、カバーが開状態であることを報知する。あるいは、制御部は、操作指示に応じた処理、すなわち、通常処理を規制する。
【００１４】
上記構成によると、ユーザに対してカバーの開状態を報知する。これにより、ユーザは、カバーを閉状態に変更することができるので、原稿がずれて、画像が正しく読み取れなかったり、画像以外の部分が真っ黒に読み取られたりする問題を防止することができる。すなわち、ユーザは、制御部からの報知によって、カバーを閉じるこができる。
【００１５】
また、制御部は、読取処理を規制する。処理を規制するとは、例えば、操作指示に応じた処理の実行を中止する。あるいは、処理に係る一部の機能の実行を中止する。これにより、開状態のときに報知する場合と同様に、原稿がずれて、画像が正しく読み取れなかったり、画像以外の部分が真っ黒に読み取られたりする問題を防止することができる。
【００１６】
制御部は、特別処理を行なうための特別操作を設定することを特徴とする。この構成によると、画像読取装置は、特別処理を行なうための特別操作を登録することができる。
【００１７】
画像読取装置は、記憶部を備える。記憶部は、特別操作と特別処理とを関連付けて記憶する。例えば、「スキャンボタン」を２回押下するといった特別操作の入力がされると、読み取った画像に対して歪み補正処理を同時に行なう処理を実行する特別処理を関連付けて設定する。これにより、制御部は、特別操作が入力されると、カバーが開状態の場合、読取処理と同時に読み取った画像に対して歪み補正処理を実行する。
【００１８】
上記構成によると、あらかじめ、特別操作に応じた特別処理を設定することができるため、ユーザの使用状況に応じた設定ができるため、ユーザフレンドリーな設定が可能となる。
【発明の効果】
【００１９】
本発明によると、制御部は、通常操作と異なる特別操作の入力があると、厚みのある原稿を処理することを認識する。制御部は、カバーの開閉状態に応じた処理、例えば、カバーが開状態の場合は、読取部から原稿の画像を読み取った後に、読み取った画像に対して所定の補正処理を実行する。これによって、制御部は、原稿を読み取る際に発生する影や綴じ代部分の歪みの補正を読み取りと同時に行なうことができる上、ユーザにとって操作を簡略することができる。
【発明を実施するための最良の形態】
【００２０】
本実施形態の画像読取装置Ｂを備えた画像処理装置Ａを図１に示す。本発明の画像処理装置Ａは、コピーモード、プリントモード、スキャナモード、ドキュメントファイリングおよびファクシミリモード等の処理を実行するデジタル複合機であり、キャビネット１に、原稿を読み取って画像データを入力する画像読取部２と、画像データを処理して印刷する画像形成部３と、画像データを記憶する記憶部４と、外部装置と通信する通信部５と、入力操作のための操作パネル６と、処理部を制御して、モードに応じた画像データの処理を実行する制御部７とを備えている。なお、処理部は、入力された画像データを出力するために処理するものであり、画像形成部３、記憶部４および通信部５とされる。
【００２１】
画像読取装置Ｂは、原稿の画像を読み取り、読み取った画像を処理するものであり、画像読取部２と、記憶部４と、制御部７とから構成される。すなわち、画像処理装置Ａの記憶部４は、画像読取装置Ｂの記憶部を兼用している。また、画像処理装置Ａの制御部７は、画像読取装置Ｂの制御部を兼用している。
【００２２】
画像読取部２は、図２に示すように、キャビネット１の上方に配置され、原稿の画像を読み取る読取部であるスキャナ部１０と、原稿自動搬送部１１とを備えている。原稿自動搬送部１１は、スキャナ部１０の上方に設けられ、スキャナ部１０に対して原稿を自動的に搬送する。
【００２３】
キャビネット１の上面に、プラテンガラスからなる原稿台１２が設けられ、原稿台１２を覆う原稿カバー１３が設けられる。原稿自動搬送部１１は、原稿カバー１３に一体的に搭載される。原稿カバー１３は、開閉自在とされ、原稿カバー１３が閉状態のとき、原稿自動搬送部１１によって原稿が搬送される。原稿カバー１３が開状態のとき、原稿を原稿台１２に載置できる。
【００２４】
原稿カバー１３の開閉は、カバー開閉検出部１４により検出される。カバー開閉検出部１４は、マイクロスイッチ、光センサからなり、原稿カバー１３の開閉に応じてオンオフする。また、原稿台１２に載置された原稿のサイズを検出する原稿サイズ検出センサが設けられている。
【００２５】
原稿が原稿自動搬送部１１の原稿セットトレイ１５にセットされると、原稿検出センサ１６が原稿をセットされたことを検出する。そして、操作パネル６において、印刷するシートのサイズおよび変倍率等のコピー条件が入力される。その後、スタートキーの入力操作により、原稿の画像の読み取りが開始される。
【００２６】
原稿自動搬送部１１において、ピックアップローラ１７により原稿セットトレイ１５上の各原稿が１枚ずつ引き出される。原稿は、捌き板１８と搬送ローラ１９間を通って、原稿台１２に送り出される。原稿は、原稿台１２上で副走査方向に搬送され、原稿排出トレイ２０に排出される。原稿排出トレイ２０には、原稿排出センサが設けられ、原稿排出トレイ２０上の原稿の有無が検出される。
【００２７】
スキャナ部１０は、第１読取部２１および第２読取部２２を備えている。原稿台１２の一側に、読取領域が形成され、原稿が原稿台１２を搬送されるとき、読取領域を通過する。読取領域の下方には、第１読取部２１の第１走査ユニット２３が位置して、原稿の表面（下側面）が読み取られる。
【００２８】
原稿自動搬送部１１によって原稿が原稿台１２に搬送されるとき、第１走査ユニット２３は読取位置に移動して位置決めされ、第２走査ユニット２４も所定位置に位置決めされる。第１走査ユニット２３の露光ランプにより、原稿の表面が原稿台１２の下方から照射される。原稿からの反射光は、第１、第２走査ユニット２３、２４の各反射ミラーにより結像レンズ２５に導かれる。原稿の反射光は、結像レンズ２５によりＣＣＤ２６に集光される。原稿の表面の画像がＣＣＤ２６上に結像される。これにより、搬送される原稿の表面の画像が読み取られる。
【００２９】
また、第２読取部２２によって、原稿の裏面（上側面）が読み取られる。第２読取部２２は、原稿台１２の上方に配置され、原稿の裏面を照射するＬＥＤ、蛍光灯等を有する露光ランプアレイ、画素毎に原稿の反射光を集光するセルフォックレンズアレイ、セルフォックレンズアレイを通じて受光した原稿からの反射光を光電変換して、アナログの画像信号を出力する密着イメージセンサ（ＣＩＳ；Ｃｏｎｔａｃｔ  ｉｍａｇｅ  Ｓｅｎｓｏｒ）等を備えている。これにより、搬送される原稿の裏面の画像が読み取られる。
【００３０】
原稿台１２に原稿を載置したとき、第１読取部２１により原稿の表面の画像が読み取られる。第１、第２走査ユニット２３、２４は相互に所定の速度関係を維持しつつ副走査方向に移動する。第１走査ユニット２３によって、原稿台１２上の原稿が露光され、第１、第２走査ユニット２３、２４によって、原稿からの反射光が結像レンズ２５に導かれる。結像レンズ２５によって、原稿の画像がＣＣＤ２６上に結像される。
【００３１】
このようにして、原稿の片面もしくは両面の画像が読み取られると、原稿の片面もしくは両面の画像データが制御部７に入力される。制御部７は、画像データ処理部を有しており、画像データ処理部により、画像データに各種の画像処理を施す。この画像データが画像形成部３に出力される。
【００３２】
図２に示すように、画像読取部２は、キャビネット１の上方に配置され、原稿の画像を読み取る読取部であるスキャナ部１０と、原稿自動搬送部１１とを備えている。原稿自動搬送部１１は、スキャナ部１０の上方に設けられ、スキャナ部１０に対して原稿を自動的に搬送する。
【００３３】
キャビネット１の上面に、プラテンガラスからなる原稿台１２が設けられ、原稿台１２を覆う原稿カバー１３が設けられる。原稿自動搬送部１１は、原稿カバー１３に一体的に搭載される。原稿カバー１３は、開閉自在とされ、原稿カバー１３が閉状態のとき、原稿自動搬送部１１によって原稿が搬送される。原稿カバー１３が開状態のとき、原稿を原稿台１２に載置できる。
【００３４】
原稿カバー１３の開閉は、カバー開閉検出器１４により検出される。カバー開閉検出器１４は、マイクロスイッチ、光センサからなり、原稿カバー１３の開閉に応じてオンオフする。また、原稿台１２に載置された原稿のサイズを検出する原稿サイズ検出センサが設けられている。
【００３５】
原稿が原稿自動搬送部１１の原稿セットトレイ１５にセットされると、原稿検出センサ１６が原稿をセットされたことを検出する。そして、操作パネル６において、印刷するシートのサイズおよび変倍率等のコピー条件が入力される。その後、スタートキーの入力操作により、原稿の画像の読み取りが開始される。
【００３６】
原稿自動搬送部１１において、ピックアップローラ１７により原稿セットトレイ１５上の各原稿が１枚ずつ引き出される。原稿は、捌き板１８と搬送ローラ１９間を通って、原稿台１２に送り出される。原稿は、原稿台１２上で副走査方向に搬送され、原稿排出トレイ２０に排出される。原稿排出トレイ２０には、原稿排出センサが設けられ、原稿排出トレイ２０上の原稿の有無が検出される。
【００３７】
スキャナ部１０は、第１読取部２１および第２読取部２２を備えている。原稿台１２の一側に、読取領域が形成され、原稿が原稿台１２を搬送されるとき、読取領域を通過する。読取領域の下方には、第１読取部２１の第１走査ユニット２３が位置して、原稿の表面（下側面）が読み取られる。
【００３８】
原稿自動搬送部１１によって原稿が原稿台１２に搬送されるとき、第１走査ユニット２３は読取位置に移動して位置決めされ、第２走査ユニット２４も所定位置に位置決めされる。第１走査ユニット２３の露光ランプにより、原稿の表面が原稿台１２の下方から照射される。原稿からの反射光は、第１、第２走査ユニット２３、２４の各反射ミラーにより結像レンズ２５に導かれる。原稿の反射光は、結像レンズ２５によりＣＣＤ２６に集光される。原稿の表面の画像がＣＣＤ２６上に結像される。これにより、搬送される原稿の表面の画像が読み取られる。
【００３９】
また、第２読取部２２によって、原稿の裏面（上側面）が読み取られる。第２読取部２２は、原稿台１２の上方に配置され、原稿の裏面を照射するＬＥＤ、蛍光灯等を有する露光ランプアレイ、画素毎に原稿の反射光を集光するセルフォックレンズアレイ、セルフォックレンズアレイを通じて受光した原稿からの反射光を光電変換して、アナログの画像信号を出力する密着イメージセンサ（Ｃｏｎｔａｃｔ  ｉｍａｇｅ  Ｓｅｎｓｏｒ）等を備えている。これにより、搬送される原稿の裏面の画像が読み取られる。
【００４０】
原稿台１２に原稿を載置したとき、第１読取部２１により原稿の表面の画像が読み取られる。第１、第２走査ユニット２３、２４は相互に所定の速度関係を維持しつつ副走査方向に移動する。第１走査ユニット２３によって、原稿台１２上の原稿が露光され、第１、第２走査ユニット２３、２４によって、原稿からの反射光が結像レンズ２５に導かれる。結像レンズ２５によって、原稿の画像がＣＣＤ２６上に結像される。
【００４１】
このようにして、原稿の片面もしくは両面の画像が読み取られると、原稿の片面もしくは両面の画像データが制御部７に入力される。制御部７は、画像データ生成部１４１と、画像データ処理部１４６とを有する。制御部７は、画像データが入力されると、画像データ処理部１４６により画像データに各種の画像処理を施す。例えば、綴じられた原稿を読み取った場合に発生する綴じ代部分の歪みや黒塗りを補正する歪み補正処理、枠消し補正処理といった補正処理を行なう。そして、画像データ生成部１４１によって、印刷用の画像データを生成されて画像形成部３に出力される。
【００４２】
画像形成部３は、入力された画像データに基づいて、記録シートにカラー画像あるいは白黒画像を印刷する。画像形成部３は、レーザスキャンユニット３０、４つの画像ステーション３１、中間転写ベルトユニット３２、定着装置３３、搬送装置３４を備えている。
【００４３】
各画像ステーション３１は、ブラック、シアン、マゼンタ、イエローの各色に応じたカラー画像をそれぞれ形成する。各画像ステーション３１は、感光体ドラム３５、現像装置３６、帯電装置３７、クリーニング装置３８、除電装置（図示せず）を備えている。
【００４４】
感光体ドラム３５は、一方向に回転駆動され、クリーニング装置３８は、感光体ドラム３５の表面の残留トナーをクリーニングし、除電装置は、感光体ドラム３５の表面を除電する。帯電装置３７は、感光体ドラム３５の表面を均一に帯電する。
【００４５】
レーザスキャンユニット３０では、画像読取部等から入力された画像データに基づいてレーザ光を変調し、このレーザ光によって感光体ドラム３５の表面を主走査方向に繰り返し走査して、静電潜像を感光体ドラム３５の表面に形成する。現像装置３６は、トナーを感光体ドラム３５の表面に供給して、静電潜像を現像し、トナー像を感光体ドラム３５の表面に形成する。
【００４６】
中間転写ベルトユニット３２は、中間転写ベルト４０、中間転写ローラ４１、転写ベルトクリーニング装置４２、テンション機構４３を備えている。中間転写ベルト４１は、各感光体ドラム３５の上方に配置され、駆動ローラ４４および従動ローラ４５に掛け巻きされて、矢印Ｂの方向に回転する。
【００４７】
中間転写ローラ４１は、中間転写ベルト４０を挟んで感光体ドラム３５に対向して配置され、転写バイアス電圧が印加されている。トナーと逆極性の電圧が中間転写ローラ４１により印加されることにより、感光体ドラム３５の表面のトナー像が中間転写ベルト４０に転写される。各色のトナー像が中間転写ベルト４０に積層され、合成された多色のトナー像が形成される。
【００４８】
転写ローラ４１は中間転写ベルト４０に圧接されて配置され、トナーとは逆極性の電圧が印加されている。中間転写ベルト４０上のトナー像は、転写ローラ４６と中間転写ベルト４０との間に搬送されたシートに、転写ローラ４６によって転写される。転写ベルトクリーニング装置４２により、中間転写ベルト４０に残存しているトナーが除去される。
【００４９】
シートに転写されたトナー像は、定着装置３３により加熱および加圧されて、シート上に定着され、画像がシートに形成される。このようにして画像が印刷されたシートは、キャビネット１の上部に設けられた排出トレイ５０に排出される。
【００５０】
搬送装置３４は、シートカセット５１あるいは手差しトレイ５２からシートを搬送路５３に沿って搬送する。搬送路５３は、中間転写ベルト４０と転写ローラ４６との間、定着装置３３を通り、排出トレイ５０に至る。
【００５１】
搬送装置３４は、ピックアップローラ５４、搬送ローラ５５、レジストローラ５６、排出ローラ５７を備えている。シートカセット５１あるいは手差しトレイ５２のシートは、１枚ずつ搬送路５３に送り出され、搬送路５３を搬送されて、排出トレイ５０に排出される。このシートの搬送中に、画像がシートに印刷される。また、両面印刷のために、スイッチバック搬送路５８が設けられている。定着後のシートは、搬送ローラ５５によりスイッチバック搬送路５８を通り、中間転写ベルト４０と転写ローラ４６との間に搬送される。両面印刷されたシートは、定着装置３３を通り、排出トレイ５０に排出される。
【００５２】
操作パネル６は、スキャナ部１０に設けられ、操作部６０および表示部６１を有する。操作部６０は、各種の操作キーを備えている。表示部６１は、液晶ディスプレイからなり、タッチパネルとされる。表示部６１に表示される操作画面内にタッチキーが形成され、これらも操作キーとして機能する。
【００５３】
そして、通信部５は、通信インターフェースを備え、通信インターフェースがＬＡＮ、ＷＡＮといったネットワークに接続される。ネットワークには、複数の外部装置が接続されている。外部装置としては、他の画像処理装置Ａ、パーソナルコンピュータ等の情報処理装置、サーバとされる。ネットワークは、ルータから電話回線や光ファイバ等の通信回線を介してインターネットに接続される。通信部５は、外部装置とネットワークを通じて所定の通信プロトコルによって通信可能とされる。また、画像処理装置Ａ同士も通信可能とされる。なお、ネットワーク内での通信は有線でも無線でもよい。
【００５４】
また、通信部５は、モデム装置を備えている。モデム装置に電話回線が接続される。画像処理装置Ａは、ファクシミリ通信を行なえる。なお、画像処理装置Ａは、ネットワークを通じてインターネットファクシミリによるデータ通信も行なえる。さらに、通信部５は、通信端子や無線通信用の通信カードを備えている。通信端子には、ＵＳＢメモリ、ＩＣカード等の記憶媒体が接続され、通信部５は、記憶媒体との間でデータの送受信を行なう。また、通信カードを通じて、携帯電話、ＰＤＡ等の通信端末と無線通信によるデータの送受信を行なう。
【００５５】
記憶部４は、ハードディスク装置からなる。記憶部４は、画像読取部２から入力された画像データあるいは通信部５から入力された画像データを記憶する。なお、入力された画像データは、一旦ＤＲＡＭ等の画像メモリに保存され、画像処理や暗号化処理が施された後、画像メモリから記憶部４に転送される。また、記憶部４から画像データを読み出すとき、画像データは、画像処理や復号化処理され、画像メモリに保存される。その後、画像データは、実行される処理にしたがって、印刷、データ送信、ファクシミリ通信によって外部に出力される。
【００５６】
記憶部４は、第１管理テーブル６２を有し、第１管理テーブル６２には、画像処理装置Ａの制御情報、設定情報、利用者の認証情報といった画像処理装置Ａを動作させるために必要な情報が記憶される。これらの情報が作成、変更されると、第１管理テーブル６２の情報は更新される。なお、第１管理テーブル６２は、記憶部４とは別の不揮発性メモリに設けてもよい。
【００５７】
制御部７は、ＣＰＵ、ＲＯＭ、ＲＡＭを有するマイクロコンピュータからなり、ＣＰＵは、ＲＯＭに格納されている制御プログラムをＲＡＭに読み出して、制御プログラムを実行する。制御プログラムにしたがって、各部が動作する。画像データの入力があると、操作部６０からの入力情報や外部装置から入力された画像データのヘッダ情報に含まれる処理条件に基づいて、プリントモード、コピーモード、スキャナモード、ファクシミリモードのいずれかのモードが実行される。また、制御プログラムには、ブラウザやメールソフトが含まれ、制御部７は、ＴＣＰ／ＩＰプロトコル等の通信プロトコルにより外部装置とデータ通信したり、電子メールの送受信を行なう。
【００５８】
制御部７は、各モードを行なうとき、入力された画像データを記憶部４に一時的に保存する。また、制御部７は、入力された画像データを記憶部４に保存して管理するファイリングモードを実行する。保存された画像データは、指示された処理にしたがって再出力される。
【００５９】
出力された画像データは、制御部７からの指示により、記憶部４から消去される。この消去に際して、画像データにランダムなデータを上書きすることによって、画像データを復元できないように無効化する。この無効化処理、さらには暗号化処理および復号化処理を行なうために、画像処理装置Ａにセキュリティキットが搭載される。制御部７の指示によってセキュリティキットが動作することにより、画像データの不正使用を防止できる。
【００６０】
ところで、書籍や綴じられた書類といった厚みのある原稿を原稿台１２に載置して、読取処理をする場合、見開き頁の綴じ代部分の表や文字等が歪んで読み取られないようにするために、ユーザが原稿を押さえつけて読取処理を実行する。すなわち、原稿カバー１３を開状態にして読取処理を実行する。この場合、制御部７は、読取部の読み取り動作を禁止する処理制限機能によって画像読取部２の読取処理を禁止する。
【００６１】
そこで、本画像処理装置Ａは、ユーザが操作パネル６から特別操作の入力をすると、制御部７の処理制限機能に関わりなく、原稿カバー１３が開状態であっても読取処理を実行する機能を備える。
【００６２】
制御部７は、カバー開閉判断部１４２と、表示データ生成部１４３と、操作入力判断部１４４と、原稿読取可否判断部１４５とを備える。カバー開閉判断部１４２は、カバー開閉検出部１４の検出結果から、原稿カバー１３が開状態であるか否かを判断する。
【００６３】
操作入力判断部１４４は、操作パネル６から入力された操作内容を判断する。具体的には、記憶部４は、第２管理テーブル６３を有し、第２管理テーブル６３には、図３に示すような、通常と異なる操作手順で操作入力される特別操作の操作手順と、入力された特別操作に応じた特別処理とが関連付けて記憶される。
【００６４】
特別操作および特別処理は、あらかじめ設定可能とされる。ユーザは、特別操作および特別処理入力する。制御部７は、入力された特別操作と特別処理とを第２管理テーブル６３に格納し、記録部４に記憶する。制御部７は、特別操作と特別処理が作成、変更されると、第２管理テーブル６３の情報を更新する。なお、第２管理テーブル６３は、記憶部４とは別の不揮発性メモリに設けてもよい。
【００６５】
ここで、特別操作とは、例えば、実行する処理を選択するボタンと数字を選択するボタン、すなわち、２種類のボタンを同時に押下する、あるいは、実行する処理を選択するボタンを２回連続して押下するといった操作入力である。
【００６６】
特別処理とは、特別操作に基づいて行なわれる処理である。すなわち、特別処理とは、特別操作が入力され、入力された特別操作に基づいて、厚みのある原稿に対する特有の処理である。例えば、読み取った際の見開き頁の表や文字等の歪みを補正する歪み補正処理や、綴じ代部分の黒塗りを補正する枠消し補正処理等の画像補正処理である。なお、歪み補正処理は、特開２００２−１６７８０号に詳細な処理が開示されている。また、枠消し補正処理は、従来の処理と同様である。
【００６７】
通常処理とは、通常の操作に基づいて行なわれる処理である。すなわち、通常処理とは、画像に対して設定された画像処理を除き、特別な画像処理を行なわない処理である。例えば、スキャン、コピーあるいはＦＡＸといったモードを実行する際に、原稿カバー１３の開閉を確認し、原稿カバー１３が閉状態のときは原稿台１２に載置された原稿を読み取って、そのままの状態で画像データにし、原稿カバー１３が開状態のときはユーザに対して警告をする処理である。
【００６８】
操作入力判断部１４４は、操作パネル６から入力がされると、記憶部４から第２管理テーブル６３を読み出す。そして、操作入力判断部１４４は、読み出した第２管理テーブル６３から入力された操作入力と一致する特別操作があるかを照合して、一致した場合は特別操作として操作内容を判断し、一致しない場合は通常操作として操作内容を判断する。
【００６９】
原稿読取可否判断部１４５は、カバー開閉判断部１４２と操作入力判断部１４４との判断結果から、原稿台１２に載置された原稿を読み取るか否かを判断する。例えば、操作入力判断部１４４によって入力された操作が特別操作と判断された場合、カバー開閉判断部１４２によって原稿カバー１３が開状態と判断したときは、画像を読み取ると、読み取った画像に対して、入力された特別操作に関連付けられた補正処理を行なう。原稿カバー１３が閉状態と判断したときは、画像に対して設定された画像処理を除き、特別な画像処理を行なわない通常処理、例えば、コピー処理やスキャン処理等を行なう。
【００７０】
操作入力判断部１４４によって入力された操作が通常操作と判断された場合は、カバー開閉判断部１４２によって原稿カバー１３が開状態と判断したときは、処理を規制する。例えば、入力された操作を中止する。あるいは、カラーでの読み取りや連続しての読み取りといった特別な読取処理を規制して、処理を行なう。原稿カバー１３が閉状態と判断したときは、通常処理を行なう。
【００７１】
表示データ生成部１４３は、操作パネル６の表示部６１に表示するための画面データを生成する。例えば、原稿カバー１３が開状態であることをユーザに警告する警告画面の警告表示データ１４３ａを生成する。また、図４に示すような、特別処理が終了したときに表示する結果画面の結果表示データを生成する。
【００７２】
次に、図５〜図７を用いて原稿台に載置された原稿の読み取り動作を説明する。なお、説明の便宜上、選択するモードは、スキャナモードとする。
【００７３】
先ず、ユーザは、原稿を原稿台１２に載置して、操作キーを操作して、所望の処理を選択する（Ｓ１）。スタートキーが操作されると、制御部７は、所定の操作手順による入力か否かを記憶部４の第２管理テーブル６３の特別操作と比較し、判断する（Ｓ２）。
【００７４】
例えば、「スキャンボタン」を２回連続して押下する特別操作であると判断した場合、制御部７は、原稿カバー１３の開閉状態をカバー開閉検出部１４の検出結果から判断する（Ｓ３）。原稿カバー１３が開状態の場合、制御部７は、画像読取部２に読み取り動作を開始させる（Ｓ４）。このとき、図７に示すように、制御部４は、判断した特別操作と関連付けた処理を実行する。
【００７５】
入力された特別操作が「スキャンボタン」を２回連続しての押下であるので、制御部７は、画像読取部２にスキャンを開始させる（Ｓ２０）。画像読取部２は、制御部７からの指示に基づいて処理を実行する。原稿読取部２によって画像が読み取られると、制御部７は、図７に示すように、読み取った画像に対して歪み補正処理および枠消し補正処理を実行する（Ｓ２１）。制御部７は、補正処理がされた画像を記憶部４に出力する。そして、制御部７は、図４に示すような、結果を示す表示画面の結果表示データを生成する。制御部７は、結果表示データに基づいて、結果を示す表示画面を表示部６１に表示させ（Ｓ２２）、次の操作入力がされるまで待機状態となる。
【００７６】
原稿カバー１３を閉状態と判断したとき（Ｓ３）、制御部７は、画像読取部２に読み取り動作を開始させる（Ｓ５）。このとき、制御部４は、判断した特別操作と関連付けた処理を実行するのではなく、通常処理、すなわち、入力したスキャンモードを原稿読取部２に実行させる。制御部７は、読み取りされた画像を記憶部４に出力する。そして、処理終了後、制御部７は、表示部６１に結果を表示させ、待機状態となる。
【００７７】
入力された操作が通常操作と判断された場合（Ｓ２）、制御部７は、選択されたモードがスキャンモードであるかを確認する（Ｓ６）。スキャンモード以外のモードを選択したときは、選択されたモードを実行する（Ｓ７）。そして、処理終了後、制御部７は、表示部６１に結果を表示させ、待機状態となる。
【００７８】
スキャンモードを選択したときは（Ｓ６）、制御部７は、原稿カバー１３の開閉状態をカバー開閉検出部１４の検出結果から判断する（Ｓ８）。原稿カバー１３が閉状態にあると判断したときは、制御部７は、画像読取部２に読み取り動作を開始させる（Ｓ１１）。制御部７は、読み取りされた画像を記憶部４に出力する。そして、処理終了後、制御部７は、表示部６１に結果を表示させ、待機状態となる。
【００７９】
原稿カバー１３を開状態と判断したとき（Ｓ８）、制御部７は、警告表示データ１４３ａに基づいて、警告画面を表示部６１に表示させ、ユーザに原稿カバー１３が開状態であることを報知する（Ｓ９）。そして、制御部７は、原稿カバー１３が閉じられたかをカバー開閉検出部１４の検出結果から確認する（Ｓ１０）。原稿カバー１３が閉状態となったと判断したら、制御部７は、画像読取部２に読み取り動作を開始させる（Ｓ１１）。制御部７は、読み取りされた画像を記憶部４に出力する。そして、処理終了後、制御部７は、表示部６１に結果を表示させ、待機状態となる。
【００８０】
制御部７は、報知してから一定時間が経過したかを確認する（Ｓ１２）。一定時間が経過していない場合、制御部７は、再度、原稿カバー１３が綴じられたかを確認する（Ｓ１０）。この確認を一定時間経過するまで繰り返し行ない、一定時間以上原稿カバー１３が閉じられなかったとき、制御部７は、入力された操作を中止し（Ｓ１３）、表示部６１を初期表示にさせ、待機状態となる。
【００８１】
上記構成により、画像処理装置Ａは、特別操作により、ユーザの所望する処理を実行可能である。本来なら、処理が規制される場合であっても、処理が実行されるので、ユーザの利便性が向上する。
【００８２】
なお、本発明は、上記実施形態に限定されるものではなく、本発明の範囲内で上記実施形態に多くの修正および変更を加え得ることは勿論である。
【００８３】
本実施形態では、画像読取装置を備えた画像処理装置について説明したが、特にこの限りではなく、画像読取装置単体であっても良い。また、本実施形態の画像読取装置の制御部および記憶部は、画像処理装置の制御部および記憶部を利用しているが、画像読取装置専用の制御部および記憶部を備えても良い。
【００８４】
本実施形態では、通常処理を実行するとき、原稿カバーが開状態の場合、ユーザに対して警告を行ない、原稿カバーが閉じられずに一定時間を経過すると、その処理を中止するが、特にこの限りではない。例えば、警告後、一定時間経過しても原稿カバーが閉じられなかったとしても、原稿台に載置された原稿については読取処理を実行し、その後の処理を中止する。あるいは、通常処理を実行するとき、原稿カバーが開状態の場合、そのまま処理を中止する。
【００８５】
本実施形態では、特別処理が画像を読み取った後の補正処理について説明したが、特にこの限りではない。例えば、特別操作を入力すると、制御部は、読み取った画像を記録シートに印刷する際に、ページアップ印刷や拡大縮小印刷等の印刷処理をしても良い。あるいは、読み取った画像に対して補正処理をした上、ページアップ印刷や拡大縮小印刷等の印刷処理をしても良い。
【００８６】
原稿が厚みのある原稿としているが、綴じられている原稿で、厚みの薄い原稿であっても良い。
【００８７】
原稿カバーの開閉状態は、距離センサやエンコーダ等によって開閉角度を判断し、開閉を判断しても良い。この場合、制御部は、原稿カバーの角度から原稿の厚みを検出することができ、その厚みに応じて特別処理を実行することができる。例えば、特別操作が入力されると、制御部は、原稿カバーの開閉角度を確認する。制御部は、確認した角度から原稿台に載置された原稿の厚みを判断する。そして、制御部は、厚みに応じて特別処理を実行する。厚みが厚いと判断したときは、枠消し補正処理と歪み補正処理とを実行する。厚みが薄いと判断したときは、枠消し補正処理を実行する。
【図面の簡単な説明】
【００８８】
【図１】本発明に係る画像処理装置のブロック図
【図２】画像処理装置の全体図
【図３】管理テーブルを示す図
【図４】処理が完了したときの完了表示を示す図
【図５】動作手順のフローチャートを示す図
【図６】通常処理の動作手順のフローチャートを示す図
【図７】特別処理の動作手順のフローチャートを示す図
【符号の説明】
【００８９】
１    キャビネット
２    画像読取部
３    画像形成部
４    記憶部
５    通信部
６    操作パネル
７    制御部
１２    原稿台
１３    原稿カバー
１４    カバー開閉検出器
６０    操作部
６１    表示部
６２    第１管理テーブル
６３    第２管理テーブル
１４１    画像データ生成部
１４２    カバー開閉判断部
１４３    表示データ生成部
１４３ａ  警告表示データ
１４４    操作入力判断部
１４５    原稿読取判断部
１４６    画像データ処理部
Ａ    画像処理装置
Ｂ    画像読取装置
【図１】
2009010710.tif 000003
【図２】
2009010710.tif 000004
【図３】
2009010710.tif 000005
【図４】
2009010710.tif 000006
【図５】
2009010710.tif 000007
【図６】
2009010710.tif 000008
【図７】
2009010710.tif 000009